(57)【要約】      （修正有）【課題】（１）ウォータージェットガンのハンドグリップをバレルに、又は（２）ウォータージェットガンの銃床を供給管に、調整可能に連結する調整アセンブリを提供する。【解決手段】調整アセンブリは、切り欠き部を有するカムピンを備え、カムピンは、（１）グリップ７２に連結し、バレル８８と近接し、又は（２）銃床に連結し、ノブ７６ａ，７６ｂは、カムピンに回転可能に連結する。ウォータージェットガンのアセンブリは、本体と、バルブカートリッジと、アクセスポートと、アダプタ５０を有する。アダプタには、本体に螺合するネジ山がある。アダプタはヘッドにより形成され、ヘッドは本体の上方にある。アダプタは手で締め付け、ウォータージェットガンは、アダプタを更に締め付けることなく操作可能状態となる。操作可能状態において、アダプタは、手工具に頼ることなく、手でヘッドを握る人がアダプタを手で回すことにより本体から着脱可能である。【選択図】図３Ａ
2012179594.tif 000002
【特許請求の範囲】
【請求項１】
（１）ウォータージェットガンのハンドグリップをバレルに、又は（２）ウォータージェットガンの銃床を供給管に、調整可能に連結し、
切り欠き部を有し、（１）前記グリップに連結し、前記バレルと近接する、又は（２）前記銃床に連結し、前記供給管と近接するカムピンと、
前記カムピンに回転可能に連結するノブと、を備えることを特徴とする調整アセンブリ。
【請求項２】
前記ノブは外表面で囲まれた範囲の寸法であり、前記寸法は十分に大きく、最小の寸法の円で前記外表面を取り囲み、前記円が前記外表面の少なくとも１ヶ所と接する点を有する場合に、前記円の直径が少なくとも１．５インチである請求項１記載の調整アセンブリ。
【請求項３】
前記カムピンは切り欠き部を有し、
前記切り欠き部は、
前記切り欠き部の端部から下向きに傾斜する下方傾斜面と、
前記切り欠き部の前記傾斜面とは反対側の端部にある弧面と、
前記カムピンの軸と平行であり、前記傾斜面と前記弧面の間に平行に延びる面を備える請求項１記載の調整アセンブリ。
【請求項４】
前記カムピンの傾斜面は前記バレルに対して力を加え、前記ピンの前記傾斜面とは反対側の面はグリップに対して力を加え、前記力は、前記ウォーターガンの通常動作中において前記バレルに対し前記グリップを所定位置に保持するのに十分な強さである請求項３記載の調整アセンブリ。
【請求項５】
前記カムピンの傾斜面は前記供給管に対し力を加え、前記ピンの前記傾斜面とは反対側の面は前記銃床に対して力を加え、前記力は、前記ウォーターガンの通常動作中において前記銃床に対して前記銃床を所定位置に保持するのに十分な強さである請求項３記載の調整アセンブリ。
【請求項６】
前記グリップは、前記バレルの全長の一部に沿って前記グリップが前後に移動可能となる第１の方向を有し、
前記グリップは、前記バレルの全長の前記一部に沿って前記グリップが前後に移動できない第２の方向を有し、
前記グリップが第２の方向にあるとき、
前記ノブを握り、手で前記ノブを回す人が、前記グリップに連結した前記ピンから前記ノブを回して緩められる請求項１記載の調整アセンブリ。
【請求項７】
前記銃床は、前記供給管の全長の一部に沿って前記銃床が前後に移動可能となる第１の方向を有し、
前記銃床は、前記供給管の全長の前記一部に沿って前記銃床が前後に移動できない第２の方向を有し、
前記銃床が第２の方向にあるとき、
前記ノブを握り、手で前記ノブを回す人が、前記銃床に連結した前記ピンから前記ノブを回して緩められる請求項１記載の調整アセンブリ。
【請求項８】
バルブカートリッジ室を有する本体と、
前記バルブカートリッジ室内にあるバルブカートリッジと、
前記バルブカートリッジ室につながるアクセスポートと、
前記本体と螺合するネジ山を有する一部が前記アクセスポートを通って延びるアダプタと、
前記アダプタにより形成され、前記本体の上方にあるヘッドを備え、
前記銃は、前記アダプタを更に締め付けることなく使用準備が整った操作可能状態にあり、
前記アダプタは、人が手でヘッドを握り、前記手で前記アダプタを回して緩めることで前記本体から取り外しが可能であることを特徴とするウォータージェットガンアセンブリ。
【請求項９】
前記ヘッドの外径は、前記アダプタの前記ネジ部の外径の少なくとも１．５倍である請求項８記載のアセンブリ。
【請求項１０】
バルブカートリッジ室を有する本体と、前記バルブカートリッジ室内のバルブカートリッジと、前記バルブカートリッジ室につながるアクセスポートと、前記本体に螺合するネジ山を有する一部が前記アクセスポートを通って延びるアダプタと、及び、前記アダプタにより形成され前記本体の上方にあるヘッドとを有し、前記アダプタを更に締め付けることなく使用準備が整った操作可能状態にあるウォータージェットガンを提供し、
人の手で前記ヘッドを握り、
前記手で前記アダプタを回して緩め、
前記アクセスポートから前記アダプタを取り外すことを特徴とするウォータージェットガンのアクセスポートからアダプタを取り外す方法。
【請求項１１】
ウォータージェットガンの本体のバルブカートリッジ室にバルブカートリッジを挿入し、
前記バルブカートリッジ室内に開口する前記本体のアクセスポートにアダプタを差し込み、
前記アダプタを前記本体に螺合し、
手で前記アダプタのヘッドを握り、前記銃が前記アダプタを更に締め付けることなく使用準備が整った操作可能状態になるまで、前記手で前記アダプタを前記本体に締め付けることを特徴とするウォータージェットガンの使用方法。
【請求項１２】
ウォータージェットガンを、グリップがバレルの全長の一部に沿って前後に自由に移動しない方向に配置し、
前記グリップに連結したピンに連結したノブを握り、
前記ノブを握る手で前記ノブを回し、
前記手で前記グリップを動かすことを特徴とするウォータージェットガンのバレルに対してハンドグリップを調整する方法。
【請求項１３】
ウォータージェットガンを、銃床が供給管の全長の一部に沿って前後に自由に移動しない方向に配置し、
前記銃床に連結したピンに連結したノブを握り、
前記ノブを握る手で前記ノブを回し、
前記手で前記銃床を動かすことを特徴とするウォータージェットガンの供給管に対して銃床を調整する方法。
【請求項１４】
前記ノブを手で握るように構成された請求項１記載の調整アセンブリ。
【請求項１５】
前記手は平均的で健康な４５歳の女性の握力を有する手である請求項６記載のアセンブリ。
【請求項１６】
前記手は平均的で健康な４５歳の女性の握力を有する手である請求項７記載のアセンブリ。
【請求項１７】
前記ウォータージェットガンは１５，０００ｐｓｉ以上の圧力を生成可能である請求項８記載のアセンブリ。
【請求項１８】
前記手は平均的で健康な４５歳の女性の握力を有する手である請求項８記載のアセンブリ。
【発明の詳細な説明】
【技術分野】
【０００１】
本発明は、銃本体から着脱可能なバルブカートリッジを有するウォータージェットガンに関し、この銃は調整可能なハンドグリップ及び調整可能な銃床も有する。
【背景技術】
【０００２】
ウォータージェットガンは公知である。ウォータージェットガンの一種でハンド・ランスとも称されるものは排出管を有する。特許文献１は、排出管を有するウォータージェットガンを開示する。銃は、銃ハウジング又はブロックを有する。バルブカートリッジがブロックのバルブ室内に保持される。ブロック内のバルブカートリッジを修理するためには、モンキーレンチ等の手工具を用いてブロックから排出アダプタを取り外さなければならない。アダプタをブロックに締め付け、銃の操作準備をするために手工具を使うことがある。
【０００３】
特許文献２も排出管付き放水銃を開示する。この銃は、調節可能な銃床を有する。銃は、手工具を用いてからハウジングから着脱可能なバルブカートリッジアセンブリを有する。手工具は、バルブカートリッジの六角ヘッドを嵌める。カートリッジをハウジングに締め付け、操作準備をするのに手工具を使ことがある。
【先行技術文献】
【特許文献】
【０００４】
【特許文献１】米国特許第５３４９９８２号明細書
【特許文献２】米国特許第５６３６７８５号明細書
【発明の概要】
【発明が解決しようとする課題】
【０００５】
従来技術である図１Ａ〜１Ｂには、１５，０００ｐｓｉ圧ウォータージェットガン用のハンドルアセンブリ１０が開示される。このハンドルアセンブリは、排出管１２と共に使用するように構成される。図２Ｂを参照されたい。このアセンブリは、銃ハウジング又は銃ブロックとも称する本体１４を有する。本体又はハウジングは、本体１４により画定されるバルブ室１８内にバルブカートリッジアセンブリ１６を保持する。バルブ室１８は、アダプタ２２により密封されたアクセスポート２０を有する。アダプタ２２は、アダプタの結合端２３でバルブカートリッジ１６に連結される。結合端２３は、本体１４と螺合する。アダプタは、ブロックの外部表面２６の上にある六角ヘッド２４を有する。ヘッド２４は、モンキーレンチ等の手工具に嵌るよう構成される。操作者は、アダプタ２２を本体１４から緩めることにより、アダプタ２２とそれに結合するバルブカートリッジ１６を取り外すことができる。操作者２２は、手工具を使用してもよい。そして操作者は、手でアダプタ２２を引き上げ本体１４から外す。カートリッジ１６は、アダプタ２２と共に取り外される。操作準備ができたときに、手工具を用いて１０ＩＮ．ＬＢ〜１５ＩＮ．ＬＢの間のトルクでカートリッジ１６と共にアダプタ２２を本体に締め付ける。
【０００６】
従来技術である図２Ａ〜２Ｂに見られるように、供給管２８は、ブロック１４を通る給水導管３０に導管３０の第１の端部３１で螺合される。供給管２８は、銃床３２を支える。銃床３２は、カムスタッド３４により調整可能に供給管２８に連結される。カムスタッド３４を手工具により緩められ、締め付けられる。緩めた場合、銃床３２は、供給管２８の全長に沿って前後に調節してもよい。
【０００７】
ニップルとも称されるバレル３６は、第２の端部３３で給水導管３０に螺合される。バレル３６は、ハンドグリップ３８を支える。ハンドグリップも、カムスタッド４０により調整可能にバレル３６に連結される。カムスタッド４０は手工具により緩められ、締め付けられる。緩めた場合、グリップは、バレルの全長に沿って前後に調節してもよい。
【課題を解決するための手段】
【０００８】
本発明の一つの態様は、（１）ウォータージェットガンのハンドグリップをバレルに、又は（２）ウォータージェットガンの銃床を供給管に調整可能に連結する調整アセンブリに関する。この調整アセンブリは、切り欠き部を有するカムピンを含む。カムピンは、（１）グリップに連結し、バレルと近接する、又は（２）銃床に連結し、供給管と近接する。ノブが、カムピンに回転可能に連結する。
【０００９】
本発明の別の態様は、ウォータージェットガンのアセンブリに関する。このアセンブリは、本体、本体のバルブカートリッジ室内のバルブカートリッジ、バルブカートリッジ室につながるアクセスポート、及びアクセスポートを通って延びるアダプタを有する。アクセスポートを通って延びるアダプタの一部は、本体に螺合するネジ山を有する。ヘッドはアダプタにより形成される。ヘッドは本体の上方にある。このウォータージェットガンは、アダプタを更に締め付けることなく、使用準備が整った操作可能状態となる。アダプタは、手工具に頼ることなく、人が手でヘッドを握りアダプタを手で回して緩めることにより、本体から取り外すことができる。
【００１０】
本発明の更なる態様は、ウォータージェットガンのアクセスポートからアダプタを取り外す方法を含んでいる。この方法は、アダプタを更に締め付けることなく、使用準備が整った操作可能状態にあるウォータージェットガンを準備することを含む。アダプタは、本体に螺合される。アダプタのヘッドは、人の手に握られる。アダプタは、手工具に頼ることなく手で回して緩める。アダプタは、アクセスポートから取り外される。
【００１１】
更に、本発明は、詳細な説明と添付の図面により以下に更に説明する方法、アセンブリ及び特徴を含む。
【図面の簡単な説明】
【００１２】
【図１Ａ】図１Ａは、従来技術のウォータージェットガンのハンドルアセンブリの断面図である。
【図１Ｂ】図１Ｂは、図１Ａに示すアセンブリの背面図である。
【図２Ａ】図２Ａは、従来技術のウォータージェットガンの斜視図である。
【図２Ｂ】図２Ｂは、図２Ａに示すウォータージェットガンの断面図である。
【図３Ａ】図３Ａは、本発明の機能を実現するウォータージェットガンの斜視図である。
【図３Ｂ】図３Ｂは、銃のブロックの一部を切り欠いた図３Ａに示す銃の側面図である。
【図４】図４は、図３Ａに示す銃のハンドアセンブリの部分断面図である。
【図５Ａ】図５Ａは、図３に示すグリップを支持するカムピンの断面図である。
【図５Ｂ】図５Ｂは、図５Ａに示すピンの斜視図である。
【図５Ｃ】図５Ｃは、図３Ｂのウォータージェットガンのバレルに設置されたグリップを支持する調整アセンブリの一部として、図５Ａのピンを示す部分断面図である。
【図５Ｄ】図５Ｄは、図５Ｃに示すアセンブリの別の図である。
【図６Ａ】図６Ａは、図３の示す銃床を支持するカムピンの断面図である。
【図６Ｂ】図６Ｂは、図６Ａに示すピンの斜視図である。
【図６Ｃ】図６Ｃは、図３Ｂのウォータージェットガンの供給管に設置された銃床を支える調整アセンブリの一部として、図６Ａのピンを示す部分断面図である。
【図６Ｄ】図６Ｄは、図６Ｃに示すアセンブリの別の図である。
【図７Ａ】図７Ａは、図３Ｂに示す銃のアダプタの斜視図である。
【図７Ｂ】図７Ｂは、図７Ａに示すアダプタの断面図である。
【発明を実施するための形態】
【００１３】
図３Ａ〜図４に、本発明を実施するウォータージェットガンを開示する。銃は、図１Ａ〜図２Ｂに示す従来技術の銃と同様に水を受け入れ、放出する。しかし、銃４９は、手工具を使わず操作者又は修理者の手で握って回せる大きさのヘッド５２を備えたアダプタ５０を有する。銃が組み立てられて操作可能状態にある場合、アダプタ５０は、ヘッドを握る操作者の手で締め付けられている。手工具を使わずヘッドを握る手で得られるトルクでブロック５４に締め付ける。トルクは、１ＩＮ．ＬＢ程度に小さくすることができる。銃は、更に締め付けを行うことなく使用準備が整う。意外にも、５ＩＮ．ＬＢ以下のトルクの手による締めつけでも、アダプタ５０はアクセスポート５６を強固に密封できることを出願人は発見した。これは、１５，０００ｐｓｉ〜４０，０００ｐｓｉの圧力を発生させるように設計された銃に言えることである。以前は、これらの銃に少なくとも５０ＩＮ．ＬＢのトルクを付与するために、手工具が必要であると考えられていた。
【００１４】
更に詳細には、銃のブロック、ハウジング又は本体５４は、本体５４により画定されたバルブ室６０内にバルブカートリッジ５８を支持する。チャンバ６０は、アダプタ５０により密封されたアクセスポート５６を有する。アダプタ５０は、アダプタ５０の結合端５１でバルブカートリッジ５８に連結される。結合端５１に近接するネジ山６２は、アダプタをブロックに螺合する。アダプタ５０のヘッド６４は、ブロックの外部表面６６とアクセスポート５６の上方に上がる。アダプタ５０は、ヘッド５２を手で握り、手でアダプタ５０を緩める方向に回してブロック５４から取り外す。回転により、ブロック５４からアダプタ５０が緩められる。そして、連結するカートリッジ５８と共にアダプタ５０は、手工具に頼ることなく、手でブロックから取り外すことができる。最終操作可能状態で工具を使わず銃から着脱できる、即ち、銃は、アダプタを更に締め付けることなく使用準備が整う。
【００１５】
一旦取り外したカートリッジ５８は、検査、修理、交換ができる。カートリッジをブロック５４に再装着または装着するためには、カートリッジ５８を結合端５１でアダプタ５０に連結する。カートリッジ５８及び結合端５１は、アクセスポート５６を介してバルブ室６０に挿入される。そして、操作者は、ヘッドを握るその手で、手工具を使わず手で得られるトルクによりアダプタ５０をブロック５４に締めつける。トルクは、１ＩＮ．ＬＢ程度に小さくすることができる。これで銃４９は、使用準備の整った操作可能状態となる。
【００１６】
アダプタ５０のヘッド５２は、空間６８に境界を設ける外周側壁６７を有する。ヘッドは、外周側壁６７により境界を設けられた床面６９を含む。床面６９は、円錐状凹部７０を有する。壁は、その外表面にローレットが施される。外周壁の外径は、１．７５ＩＮである。
アダプタ５０は、ヘッド５２の下にショルダ１５０を有する。ショルダ１５０は、ブロック５４と突合せされる。Oリング受け入れ溝１５１はショルダ１５０の下でアダプタ５０の中に形成される。Oリング受け入れ溝１５１がOリングに嵌め合せられ、Oリングはブロック５４を密封する。
【００１７】
本発明を実施する図３Ａ、図３Ｂのウォータージェットガンは、ハンドグリップ７２と銃床７４との間の調整方法において従来技術と異なる。操作者は、銃におけるハンドグリップと銃床の位置を調節し、それから手工具を使わずに銃床とハンドグリップを所定の位置に固定することができる。調節を可能とするために、グリップと銃床はそれぞれ調整アセンブリに取り付けられる。各アセンブリは、手で握るように構成されたノブ７６ａ又は７６ｂを含む。またアセンブリは、スタッド又はラグとも称される独自に構成されたカムピン７８ａ又は７８ｂも含んでいる。
【００１８】
カムピン７８ａ又は７８ｂは、ノブのネジ山が切られた端部を受けるように一端にネジ山が切られる。カムピンは、その軸長の一部に沿って切り欠きを有する。切り欠き部の表面８０ａ又は８０ｂは、切り欠き部の一端から下向きに傾く傾斜面を形成する。傾斜面の断面形状は、坂として示される。傾斜は徐々に設けられている。傾斜はカムの軸に平行な水平から測って１０〜２０度の間である。緩やかな傾斜を伴った端部とは反対側の端部にある切り欠き部の表面８２ａ又は８２ｂは弧状をしており、中心角を有する。切り欠き部を形成する他の表面８４ａ又は８４ｂは、カムの軸に平行である。そして、傾斜面８０ａ又は８０ｂと弧面８２ａ又は８２ｂの間に延びる。
【００１９】
調整アセンブリに連結したグリップ７２は、バレルの全長に沿ってグリップが前後に摺動可能となる第１の方向を有する。グリップは、グリップがバレルと固定連結される第２の方向を有する。図５Ｃ及び５Ｄを参照されたい。ここではバレルに対して摺動可能ではない。第１の方向から第２の方向にグリップの位置を合わせる操作者は、第１の方向に時計回りにノブ７６ａを回す。第１の方向にノブを回すと、ピンとノブ７６ａ内のネジ山８５ａによって、ピン７８ａが軸方向にノブ７６ａに向かって移動する。ピンの移動に従い、傾斜面８０ａがノブ７６ａのより近くに移動する。ピンがノブのより近くに移動するに従い、傾斜面の高い部分がバレル８８の軸８６のより近くに移動する。傾斜面の高い部分が軸８６に向かって移動するに従い、ピン７８ａは楔を打ち込むように徐々に増大する強い力を働かせる。ピンの傾斜面８０ａはバレルに対し力を加え、傾斜面とは反対側の面９０ａはグリップに対して力を加える。グリップが第２の方向にある場合、この力はグリップを所定位置に保持するのに十分な強さがある。よって、グリップが第２の方向にある場合、傾斜面８０ａは、第１の方向にある時よりもノブの近くにある。実際には、平行面８４ａ及び弧面８２ａもまた、第１の方向の場合とは対照的に、第２の方向ではよりノブの近くにある。
【００２０】
銃床７４も、供給管９２の全長に沿って銃床７４が前後に摺動可能となる第１の方向を有する。銃床は、銃床が供給管９２に固定連結される第２の方向を有する。ここでは銃床に対して摺動可能ではない。第１の方向から第２の方向に銃床７４の位置を合わせる操作者は、第１の方向に時計回りにノブ７６ｂを回す。第１の方向にノブ７６ｂを回すと、ピン７８ｂとノブ７６ｂ上のネジ山８５ｂによって、ピン７８ｂが軸方向にノブ７６ｂに向かって移動する。ピン７８ｂの移動に従い、傾斜面８０ｂがノブのより近くに移動する。ピンがノブのより近くに移動するに従い、傾斜面８０ｂの高い部分が供給管の軸９３の軸のより近くへ移動する。傾斜面８０ｂの高い部分が軸に向かって移動するに従い、ピン７８ｂは楔を打ち込むように徐々に増大する強い力を働かせる。ピンの傾斜面８０ｂは供給管９２に対して力を加え、傾斜面とは反対側の面９０ｂは銃床に対し力を加える。銃床が第２の方向にある場合、力が十分強いため、銃床を所定位置に保持することができる。よって、銃床が第２の方向にある場合、傾斜面８０ｂは、第１の方向にある時よりもノブ７６ｂの近くにある。実際には、平行面８４ｂ及び弧面８２ｂもまた、第１の方向の場合とは対照的に、第２の方向ではよりノブの近くにある。
【００２１】
第２の方向から第１の方向にグリップ７２又は銃床７４を調整するために、操作者又は修理者は、第１の方向とは逆の第２の方向へ手でノブ７６ａ又は７６ｂを回す。また、操作者は、調整する部材（グリップ又は銃床）側へとノブを押す。グリップ７２が第１の方向に調整された場合、ピンの傾斜面８０ａの底辺部分は、ノブに最も近いバレルの側面から離れるように移動する。弧面８２ａ及び平行面８４ａは、バレルの中心軸側へ移動する。ここで、バレル８８とグリップ７２との間のくさび力は低減し、グリップはバレルの全長に沿って自由に移動できる。銃床７４が第１の方向に調整された場合、ピンの傾斜面８０ｂの底辺部分は、ノブ７６ｂに最も近い供給管９２の側面から離れるように移動する。弧面８２ｂ及び平行面８４ｂは、供給管の中心軸９３側に移動する。ここで供給管９２と銃床７４との間のくさび力は低減し、銃床７４は供給管９２の全長に沿って自由に移動できる。
【００２２】
本発明を実施するウォータージェットガンは、他の特徴も有する。ブロックを通過する給水導管９７は、バルブ室６０に流体的に結合され、バルブ室６０を横切る。また、排水導管もバルブ室に流体的に結合され、バルブ室を横切る。給水導管９７には、両端にネジ山が切られる。
【００２３】
図３Ａ及び図４に見られるように、排出管９５は、排出導管９６に螺合される。供給管９２は、第１の端部９８で給水導管９７に螺合される。ニップルとも称されるバレル８８は、第２の端部９９で給水導管９７に螺合される。ノズルホルダー１００は、バレル８８の端部にある。銃の引き金１０１を作動させ、銃４９が流水源に接続されると、供給管９２から銃に水が入る。そして給水導管９７を通過し、バレル８８に入り、ノズルホルダー１００に保持されるノズル（図示せず）を介してバレルから放出される。引き金が作動していない場合、水は排出管９５を介して銃から排出される。
【００２４】
好適な実施の形態を開示及び説明してきたが、添付の請求項に規定する本発明の精神と範囲を逸脱することなく様々な変更や修正を加えることができることは当業者にとって明らかであろう。
【００２５】
本明細書に開示する全ての特徴（添付の特許請求の範囲、要約書及び図面を含む）、及び／又は開示された全ての工程、方法又はプロセスは、少なくともいくつかの特徴及び／又は工程が相互排他的である全ての組み合わせにおいて併用することができる。
【００２６】
本明細書で開示されるそれぞれの特徴（添付の特許請求の範囲、要約書及び図面を含む）は、特に明記されない限り、同一、同等又は同様の目的を果たす代替的な特徴に置き換えることができる。つまり、特に明記されない限り、開示されるそれぞれの特徴は、一般的な一連の同等又は同様の特徴の単なる一例である。
【００２７】
本発明は先述の実施態様の詳細に制限されない。本発明は、本明細書に開示される特徴（添付の特許請求の範囲、要約及び図面を含む）の全ての新規なもの又は全ての新規な組み合わせ、又は、開示される全ての方法又はプロセスの全ての工程の全ての新規なもの又は全ての新規な組み合わせに拡大する。
【符号の説明】
【００２８】
１０・・・ハンドルアセンブリ、１２・・・排出管、１４・・・本体、１６・・・バルブカートリッジアセンブリ、１８・・・バルブ室、２０・・・アクセスポート、２２・・・アダプタ、２３・・・結合端、２４・・・六角ヘッド、２６・・・外部表面、２８・・・供給管、３０・・・給水導管、３１・・・第１の端部、３２・・・銃床、３３・・・第２の端部、３４・・・カムスタッド、３６・・・バレル、３８・・・ハンドグリップ、４０・・・カムスタッド、４９・・・銃、５０・・・アダプタ、５１・・・結合端、５２・・・ヘッド、５４・・・ブロック、５６・・・アクセスポート、５８・・・バルブカートリッジ、６０・・・バルブ室、６２・・・ネジ山、６６・・・外部表面、６７・・・外周側壁、６８・・・空間、６９・・・床面、７０・・・円錐状凹部、７２・・・ハンドグリップ、７４・・・銃床、７６ａ・・・ノブ、７６ｂ・・・ノブ、７８ａ・・・カムピン、７８ｂ・・・カムピン、８０ａ・・・表面、８０ｂ・・・表面、８２ａ・・・表面、８２ｂ・・・表面、８４ａ・・・表面、８４ｂ・・・表面、８５ａ・・・ネジ山、８５ｂ・・・ネジ山、８６・・・軸、８８・・・バレル、９０ａ・・・反対側の面、９０ｂ・・・反対側の面、９２・・・供給管、９３・・・軸、９５・・・排出管、９６・・・排出導管、９７・・・給水導管、９８・・・第１の端部、９９・・・第２の端部、１００・・・ノズルホルダー、１０１・・・引き金、１５０・・・ショルダ、１５１・・・Oリング受け入れ溝
【図１Ａ】
2012179594.tif 000003
【図１Ｂ】
2012179594.tif 000004
【図２Ａ】
2012179594.tif 000005
【図２Ｂ】
2012179594.tif 000006
【図３Ａ】
2012179594.tif 000007
【図３Ｂ】
2012179594.tif 000008
【図４】
2012179594.tif 000009
【図５Ａ】
2012179594.tif 000010
【図５Ｂ】
2012179594.tif 000011
【図５Ｃ】
2012179594.tif 000012
【図５Ｄ】
2012179594.tif 000013
【図６Ａ】
2012179594.tif 000014
【図６Ｂ】
2012179594.tif 000015
【図６Ｃ】
2012179594.tif 000016
【図６Ｄ】
2012179594.tif 000017
【図７Ａ】
2012179594.tif 000018
【図７Ｂ】
2012179594.tif 000019